(57)【要約】【課題】Ｅ−ＢＯＭに基づいてＭ−ＢＯＭを作成していくＰＤＭシステムにおいて、Ｍ−ＢＯＭの作成作業をより容易化する。【解決手段】複数のコンピュータ１、２、３、…をネットワークで統合したＰＤＭシステムにおいて、サーバーのなかにデータベース４を構築し、このデータベース４の保管エリアにＥ−ＢＯＭを登録して容易には変更不可とするとともに、そのＥ−ＢＯＭにおいて各部品の品目属性情報に「仮工程」情報を包含可能とし、設計者がその知見に基づいてこの「仮工程」情報を登録できるようにしておいて、Ｍ−ＢＯＭ作成時に、この「仮工程」情報を参照することによって「工程」決定作業を容易化するとともに、「仮工程」情報に関しては、保管エリアに登録されたものであるにもかかわらず、他のＥ−ＢＯＭの情報と異なり、容易に変更可能としておく。【選択図】図１
2005293199.tif 000002
【特許請求の範囲】
【請求項１】
Ｅ−ＢＯＭを保管して管理する手段と、Ｅ−ＢＯＭを基礎に作成・編集されたＭ−ＢＯＭを保管して管理する手段とを備え、上記Ｅ−ＢＯＭの管理手段は、各部品の品目属性情報として「仮工程」情報をも保管して管理するものであることを特徴とするＰＤＭシステム。
【請求項２】
上記Ｅ−ＢＯＭの管理手段は、Ｅ−ＢＯＭを原則的に変更不可の状態で保管して管理し、かつ上記「仮工程」情報については例外的に変更可能な状態で保管して管理するものであることを特徴とする請求項１記載のＰＤＭシステム。
【発明の詳細な説明】
【技術分野】
【０００１】
この発明は、ＰＤＭ (Product Data Management) システムの改良に関する。
【背景技術】
【０００２】
ＰＤＭシステムは、製造業における製品の企画、開発、設計から製造、販売、保守にいたる複雑かつ膨大な情報を一元管理し、工程の効率化および期間の短縮を図ることを目指した情報システムである。
【０００３】
このＰＤＭシステムにおいて、設計部品表と製造部品表とは管理すべき重要な情報の主要なものである。設計部品表は、部品の技術情報や仕様、代替可能部品などの情報から構成されており、Ｅ−ＢＯＭ (Engineering Bill Of Material) と称される。また、製造部品表は、工場の生産工程において、製品製造時に参照される部品表であり、Ｅ−ＢＯＭから作成され、Ｍ−ＢＯＭ (Manufacturing Bill Of Material) と称されている。
【０００４】
Ｍ−ＢＯＭの作成・編集作業は、作成されたＥ−ＢＯＭの部品情報を基礎に、「工程」を決定し、見積もり作業を行い、加工先などを振り分けていくことからなるが、各部品についての「工程」決定は、作業者が図面（２次元図面）あるいはモデル（３次元データ）を一つずつ見ながら、決定していく必要があり、時間のかかる作業となっている。
【発明の開示】
【発明が解決しようとする課題】
【０００５】
この発明の課題は、作業者が図面やモデルを一つずつ見なくても「工程」の決定ができるようにすることによって、作業者のＭ−ＢＯＭ作成・編集の負担を軽減することができるように改善したＰＤＭシステムを提供することにある。
【課題を解決するための手段】
【０００６】
上記の目的を達成するため、この発明によるＰＤＭシステムにおいては、Ｅ−ＢＯＭを保管して管理する手段と、Ｅ−ＢＯＭを基礎に作成・編集されたＭ−ＢＯＭを保管して管理する手段とを備え、上記Ｅ−ＢＯＭの管理手段は、各部品の品目属性情報として「仮工程」情報をも保管して管理するものであることが特徴となっている。
【０００７】
また、上記Ｅ−ＢＯＭの管理手段は、Ｅ−ＢＯＭを原則的に変更不可の状態で保管して管理し、かつ上記「仮工程」情報については例外的に変更可能な状態で保管して管理するものであることを特徴としてもよい。
【発明の効果】
【０００８】
Ｅ−ＢＯＭの管理手段によって保管・管理されるＥ−ＢＯＭに付随してその各部品の品目属性情報として「仮工程」情報が保管・管理されることになる。通常、設計者は、自ら設計した部品に対してそれをどのような工程を経て作るかについては、ある程度理解しているものである。そこで、その設計者が理解している「工程」を「仮工程」としてＥ−ＢＯＭの管理手段に保管・管理させておけば、このＥ−ＢＯＭの「仮工程」を参照して「工程」を決定することができるため、Ｍ−ＢＯＭの作成・編集作業は非常に容易なものとなる。
【０００９】
また、Ｅ−ＢＯＭの全体は原則的に変更不可の状態で保管・管理されるが、「仮工程」情報については変更可能な状態で保管・管理される。「仮工程」情報の正確さ・適切さは設計者の理解に依存しており、実際には不適切であることもあり得る。たとえば「仮工程」情報に基づき見積もり作業を行ってみたところ、見積もり先より「見積もり不可」の連絡が戻ってきて、不適切であることが判明することがある。このように「仮工程」情報が正確でなかったり適切でないことが判明したとき、上記のように変更可能な状態で保管・管理されているため、これを容易に修正することができる。この「仮工程」情報は容易に変更できるが、Ｅ−ＢＯＭの「仮工程」情報を除く部分は変更不可となっていてセキュリティが高められている。「仮工程」情報についてはセキュリティは高くないが、この「仮工程」情報自体はＭ−ＢＯＭに関連するものであり、これが変更されてもＥ−ＢＯＭの他の部分には影響を与えないため、他の部分のセキュリティを害することはない。
【発明を実施するための最良の形態】
【００１０】
つぎに、この発明を実施したＰＤＭシステムについて図面を参照して説明する。
【実施例１】
【００１１】
図１に示すように、この発明にかかるＰＤＭシステムは、１個の単独のコンピュータによっても構成できるが、ここでは図１に示すように複数台のコンピュータ１、２、３、…をネットワークで接続して構成するようにしており、そのうちの１台のコンピュータ１をサーバーとし、そのサーバーのなかにデータベース４を構築するようにしている。このデータベース４は、具体的には情報を記録するハードディスク装置などの記録装置と情報の保管・管理を行うソフトウェアとから構成される。
【００１２】
まず、一つの製品について設計者が設計部品表（Ｅ−ＢＯＭ）を作成すると、このＥ−ＢＯＭがデータベース４の保管エリアに登録される。このＥ−ＢＯＭは、その製品の構成の基本となるものであり、そのため変更・修正は厳格に制限され、設計変更が承認された場合などのみ変更が許される。保管エリアに登録されるということは、厳重な管理の下で了承された場合にのみ保管エリア内のデータの変更が許されることを意味する。たとえば、権限ある使用者の特別なパスワードの入力を要するなど、特別な改訂手続に基づく場合のみ変更可能である（データベースソフトウェアがそのように管理している）。
【００１３】
Ｅ−ＢＯＭの例は、図２に示すとおりであって、部品と部品の親子関係をはじめ、部品に関連付けられた図面、文書等を含む。また、各部品には品目属性情報５が付着させられており、コンピュータの画面上に表の形態で読み出して見ることも可能である。この品目属性情報は、通常、工程の情報は含まないが、この発明によると、工程の情報６が仮工程として登録されている。
【００１４】
Ｍ−ＢＯＭは、このＥ−ＢＯＭに示される各部品に、その工程などの製造情報を関連付けたものである。図２のＥ−ＢＯＭから作成したＭ−ＢＯＭはたとえば図３のようになる。Ｍ−ＢＯＭでは、Ｅ−ＢＯＭの各部品の親子関係や部品情報に基づいて新たな製造上の親子関係などを作成することもできる。このＭ−ＢＯＭで示される製造情報は、取引先の変更や工程の変更などに応じて、Ｅ−ＢＯＭに影響を与えることなく、随時その変更が生じる。そのため、このＭ−ＢＯＭは、上記のような厳重な管理下に置かれる保管エリアではないエリアにおいてデータベース４に登録されることになる。
【００１５】
Ｅ−ＢＯＭからＭ−ＢＯＭを作成し、工程を関連付ける作業は、通常、部品に関連付けられた図面を参照して工程を決めることにより行われる。この作業は、図面を１枚１枚見ながら行うことになり、Ｍ−ＢＯＭを完成させるには、作業者にかなりの時間と労力とを負担させる。
【００１６】
ところで、設計者は製品全体の設計構想に基づき各部品を設計し、その部品の図面を書く段階で、その図面に示された部品が「板金加工」によって作られるものであるかあるいは「機械加工」によって作られるものであるか、さらにはその加工の後「メッキ」か「塗装」かを施すものであるなどの判断を行っている。そのため、この設計者の有する「工程」に関する情報を上記図２のようにＥ−ＢＯＭの品目属性情報５に「仮工程」の情報６として付着させることができるようになっている。
【００１７】
したがって、Ｅ−ＢＯＭ上でこの「仮工程」をキーとして検索を行ない、検索された「仮工程」の情報をそのまま一括でＭ−ＢＯＭに用いることとすれば、Ｍ−ＢＯＭにおける「工程」決定作業が非常に簡単になり、作業時間を大幅に短縮することが可能となる。この図３に示されたＭ−ＢＯＭの例では、「工程」情報７は図２のＥ−ＢＯＭの「仮工程」情報６がそのまま用いられている。
【００１８】
さらに、見積もり依頼などを行う際にも、Ｍ−ＢＯＭにおける「工程」情報７の正式決定する前に、この「仮工程」情報６を用いることで、工程の分類や集計などを容易に行なうことができる。
【００１９】
なお、上記のとおり、Ｅ−ＢＯＭに登録される「仮工程」情報６は、保管エリアに登録されるにもかかわらず、Ｅ−ＢＯＭの他の情報とは異なって、変更容易な状態で保管・管理されるので、取引先の変更や工程の変更などに対応して変更できるようになっている。このことはまた、製造工程や取引先を必ずしも熟知していない設計者によって登録された「仮工程」情報６の間違いや不適切さを容易に修正することができることをも意味している。たとえば、Ｍ−ＢＯＭの「工程」の作成後、あるいは「工程」作成前に、Ｅ−ＢＯＭの「仮工程」情報６に基づいて見積もり作業を行うことができるが、このとき、「仮工程」情報６が間違っていた部品があった場合、見積もり先より「見積もり不可」の連絡が戻ってくる。そこで、この部品を再度検討し、「仮工程」情報６を修正することでその後の「工程」作成作業での間違いを回避することができる。
【００２０】
そして、この「仮工程」情報６は、本来「工程」情報であって、Ｍ−ＢＯＭに属する性質を持つものであるから、このように容易に変更可能としてもなんら問題はない。この「仮工程」情報６以外の他のＥ−ＢＯＭは、製品の基本を規定する情報であるから容易には変更できないようにすべきであって、そのため上記のように保管エリアに登録されているのであるが、この「仮工程」情報６はそのような変更不可とされるべき情報ではないからであるし、「仮工程」情報６を変更しても保管エリアに登録されたＥ−ＢＯＭの他のデータには影響を与えないからである。
【００２１】
上記の説明はこの発明の一実施例に関するものであって、この発明の趣旨を逸脱しない範囲で、具体的な構成などは種々に変更できることはいうまでもない。
【産業上の利用可能性】
【００２２】
この発明にかかるＰＤＭシステムによれば、設計者の「工程」に関する知見をＥ−ＢＯＭに取り込み、これを利用することができるようにすることで、Ｍ−ＢＯＭの「工程」決定作業を容易化することができ、製造業の効率化をいっそう進めることができる。
【図面の簡単な説明】
【００２３】
【図１】この発明の一実施例にかかるＰＤＭシステムの模式図。
【図２】同実施例におけるＥ−ＢＯＭの例を示す図。
【図３】同実施例におけるＭ−ＢＯＭの例を示す図。
【符号の説明】
【００２４】
１、２、３      コンピュータ
４              データベース
５              品目属性情報
６              「仮工程」情報
７              「工程」情報
【図１】
2005293199.tif 000003
【図２】
2005293199.tif 000004
【図３】
2005293199.tif 000005